(57)【特許請求の範囲】
【請求項１】
上部に設けてあり室内側に開口した換気口と、下部に設けてあり室内外に連通した定風量換気部を備え、換気口及び定風量換気部はサッシ枠内に配置されるものであり、定風量換気部の外気取込口より上部の換気口に連通する通風部を有し、定風量換気部の空気吹き出し口は開閉自在であることを特徴とするサッシ。
【請求項２】
上部に設けてあり室内側に開口した換気口と、下部に設けてあり室内外に連通した換気ユニットを備え、換気口及び換気ユニットはサッシ枠内に配置されるものであり、換気ユニットの外気取込口より上部の換気口に連通する通風部を有し、換気ユニットの空気吹き出し口は開閉自在であることを特徴とするサッシ。
【発明の詳細な説明】
【技術分野】
【０００１】
本発明は、２４時間換気に対応可能なサッシに関する。
【背景技術】
【０００２】
現在、住宅においては、シックハウス対策のために２４時間換気を行うことが建築基準法で義務化されている。従来は、２４時間換気を行うため、壁に室内外を貫通する孔を開け、その孔に吸気口を取付けている。このような吸気口は、目障りであるばかりか、設置するのに壁に孔を開けなければならないため、施工性が悪い。
【発明の概要】
【発明が解決しようとする課題】
【０００３】
本発明は以上に述べた実情に鑑み、壁に孔を開ける必要がなく、２４時間換気に対応可能なサッシの提供を目的とする。
【課題を解決するための手段】
【０００４】
上記の課題を達成するために請求項１記載の発明によるサッシは、上部に設けてあり室内側に開口した換気口と、下部に設けてあり室内外に連通した定風量換気部を備え、換気口及び定風量換気部はサッシ枠内に配置されるものであり、定風量換気部の外気取込口より上部の換気口に連通する通風部を有し、定風量換気部の空気吹き出し口は開閉自在であることを特徴とする。
【０００５】
請求項２記載の発明によるサッシは、上部に設けてあり室内側に開口した換気口と、下部に設けてあり室内外に連通した換気ユニットを備え、換気口及び換気ユニットはサッシ枠内に配置されるものであり、換気ユニットの外気取込口より上部の換気口に連通する通風部を有し、換気ユニットの空気吹き出し口は開閉自在であることを特徴とする。
【発明の効果】
【０００６】
請求項１記載の発明によるサッシは、室内側に開口した換気口をサッシ枠内の上部に、室内外に連通した定風量換気部をサッシ枠内の下部に配置したので、壁に孔を開ける必要がなく、施工が容易である。本サッシは、外気の取込口が下部の定風量換気部に設けられ、その外気取込口より上部の換気口に連通する通風部を有しているので、雨が降ったときは、定風量換気部の空気吹き出し口を閉じた状態にすることで、雨の侵入を防ぎつつ外気を室内に導入することができ、２４時間換気のための吸気口として機能する。また、定風量換気部の空気吹き出し口を開けた状態にすることで、室外の風の状況によらず一定量の自然の風を室内に取り込み、より多くの換気量を確保することができる。
【０００７】
請求項２記載の発明によるサッシは、室内側に開口した換気口をサッシ枠内の上部に、室内外に連通した換気ユニットをサッシ枠内の下部に配置したので、壁に孔を開ける必要がなく、施工が容易である。本サッシは、外気の取込口が下部の換気ユニットに設けられ、その外気取込口より上部の換気口に連通する通風部を有しているので、雨が降ったときは、換気ユニットの空気吹き出し口を閉じた状態にすることで、雨の侵入を防ぎつつ外気を室内に導入することができ、２４時間換気のための吸気口として機能させられる。また、換気ユニットの空気吹き出し口を開けた状態にすることで、換気ユニットを通じて自然の風を室内に取り込み、より多くの換気量を確保することができる。
【図面の簡単な説明】
【０００８】
【図１】図６のＥ−Ｅ断面図である。
【図２】図１のＡ−Ａ断面図である。
【図３】図１のＢ−Ｂ断面図である。
【図４】図１のＣ−Ｃ断面図である。
【図５】本発明のサッシの第１実施形態を示す室外側正面図である。
【図６】第１実施形態のサッシの室内側正面図である。
【図７】図６のＤ−Ｄ断面図である。
【図８】第１実施形態のサッシの横断面図（図１のＡ−Ａ断面図）であって、上部の換気口を閉じたときの状態を示す。
【図９】第１実施形態のサッシの縦断面図（図６のＥ−Ｅ断面図）であって、上部の換気口を閉じたときの状態を示す。
【図１０】（ａ）は本発明のサッシの第２実施形態を示す室外側正面図、（ｂ）は同サッシの室内側正面図である。
【図１１】図１０のＦ−Ｆ断面図である。
【図１２】（ａ）は図１１のＧ−Ｇ断面図であり、（ｂ）は図１１のＨ−Ｈ断面図である。
【図１３】（ａ）は本発明のサッシの第３実施形態を示す室外側正面図、（ｂ）は同サッシの室内側正面図である。
【図１４】図１３のＩ−Ｉ断面図である。
【図１５】（ａ）は図１４のＪ−Ｊ断面図であり、（ｂ）は図１４のＫ−Ｋ断面図である。
【発明を実施するための形態】
【０００９】
以下、本発明の実施の形態を図面に基づいて説明する。図１〜７は、本発明に係るサッシの第１実施形態を示している。本サッシは、建物の躯体開口部に設置されるものであって、図５〜７に示すように、引違い窓部９と、引違い窓部９の側方に隣接して設けた換気装置部１０とを備えている。サッシ枠３は、引違い窓部９を構成する枠３ａと換気装置部１０を構成する枠３ｂとが合わさったものになっており、当該サッシ枠３が一つの躯体開口部に一体的に取付けられている。換気装置部１０は、引違い窓部９の障子１１ａ，１１ｂを閉鎖した状態で換気を行うためのもので、以下、換気装置部１０の構成について詳細に説明する。
【００１０】
換気装置部１０は、図５，６に示すように、上下に延びる２本の枠材１２ａ，１２ｂを有し、この枠材１２ａ，１２ｂの上下長さは引違い窓部９の高さと同じであり、図７に示すように、各枠材１２ａ，１２ｂはそれぞれ方立１３と躯体１４に固定されている。そして、２本の枠材１２ａ，１２ｂの間の室外側端には、壁面部１５が設けられており、室内側に開口する空間が形成されている。さらに、図６に示すように、２本の枠材１２ａ，１２ｂの間の、上端から約１／３の位置には、無目１６が設けられていて、枠材１２ａ，１２ｂの間の空間が上下に仕切られており、その下側に定風量換気部（定風量換気ユニット）２が設けられ、上側に室内側に開口した換気口１を備える。
【００１１】
定風量換気部２は、図１、図４に示すように、室内側に扉１７を有している。扉１７は、右端が吊元となって室内側に開くものであり、右側の枠材１２ｂに回動自在に取り付けられている。扉１７の室内側面には、扉１７を開くための取手１８が設けられている。また、室外側の壁面部１５の、無目１６より下側には、左右に延びるスリット状の外気取込口４が、上下に多数並んで設けられており、扉１７を開放すると室内外が連通する。さらに、二本の枠材１２ａ，１２ｂの間には、羽根状の風量調整板１９が設けられている。風量調整板１９は、左端を回転中心として、左側の枠材１２ａに回動自在に設けられている。そして、風量調整板１９は、バネ部材２０により室外側に（反時計回りに）付勢されている。また、風量調整板１９の室内側には、左右の枠材１２ａ，１２ｂに設けられた内部壁２１ａ，２１ｂが位置しており、両内部壁２１ａ，２１ｂの間が通気路２２となっており、その室内側端に空気吹き出し口５が扉１７により開閉可能に構成されている。風量調整板１９が室内側に（時計回りに）回転するほど、この通気路２２が塞がれて狭くなる。さらに、通気路２２には網戸２３が設けられている。
このように構成した定風量換気部２によれば、扉１７を開放することで、任意に換気を行うことができる。その際、風が弱く風圧がバネ部材２０の付勢力を下回る場合には、風量調整板１９は動かず、通気路２２は最も広い状態となる。そして、風が強くなって風圧がバネ部材２０の付勢力を上回ると、風量調整板１９が付勢力に逆らって室内側に回転し、通気路２２が塞がれて狭くなる。よって、風が強くなるほど通気路２２が狭くなるので、結果として通気量は風の強さによらず一定量となり、定風量自然換気が可能となる。
【００１２】
次に、無目１６の上側の換気口１の構造について説明する。図１，２に示すように、上枠２４と無目１６との間には仕切り壁２５が設けられ、仕切り壁２５の室内側面には室外側が開口した略コ字形断面の形材２６が取付けてある。仕切り壁２５と形材２６の見付壁２６ａとには、通気孔２７ａ，２７ｂが大きく開けられている。形材２６の室内側には、カバー板２８が開閉可能に設けられ、カバー板２８には左右に延びるスリット２９が上下に多数並んで設けられている。仕切り壁２５の通気孔２７ａの室内側には、花粉や埃等を除去するためのフィルター３０が取付けてある。
形材２６の内部には作動板３１が設けてあり、作動板３１は左右両側を上下方向に間隔をおいて配置した複数のカム部材３２により保持されており、また作動板３１は室内側面に上下方向にスライド可能に設けた操作部３３と係合している。図１に示すように操作部３３を上位置にすると、作動板３１は図２に示すように仕切り壁２５の通気孔２７ａと形材２６の見付壁２６ａの通気孔２７ｂとの中間に位置し、換気口１は開いた状態となる。図９に示すように、操作部３３を下位置にスライドさせると、作動板３１はカム部材３２のカム溝３２ａに沿って室内側の斜め下方に移動し、図８に示すように、作動板３１が形材２６の見付壁２６ａの通気孔２７ｂを塞いで、換気口１は閉じた状態になる。
【００１３】
換気口１の室外側は壁面部１５で塞がれており、この部分には外気取込口が設けてないが、図１に示すように、壁面部１５の室内側に無目１６の上下にまたがって連通した空間６が設けてあり、この空間６が定風量換気部２の外気取込口４より上部の換気口１に連通する通風部６となっている。したがって、定風量換気部２の外気取込口４より取り込んだ外気を、通風部６と換気口１を通じて室内に導入できるようになっている。
【００１４】
次に、本サッシの換気装置部１０の使用方法を説明する。雨が降っているときには、定風量換気部２の空気吹き出し口５を扉１７で閉じた状態にする。すると、図１に示すように、定風量換気部２の外気取込口４から入った外気が、通風部６と上部の換気口１を通じ、雨の侵入を防ぎつつ室内に導入することができ、２４時間換気のための吸気口として機能する。外気取込口４と換気口１が上下にずらして設けてあることで、強風が室内に吹き込むことも防止できる。また、換気口１が高い位置に設けてあることで、冬季に冷たい外気が室内に下の方から入ってきて不快な思いをするのを避けることができる。換気口１には、花粉等を除去するフィルター３０を設けてあるので、花粉等が室内に侵入するのを防ぐことができる。また、冬季の夜間などには、換気口１を閉じて外気が室内に入らないようにすることもできる。なお、雨が降っていないときでも、定風量換気部２の空気吹き出し口５を扉１７で塞いで換気量を絞り、換気装置部１０を２４時間換気のための吸気口として利用することができる。
天気の良い日中などには、図４中に二点鎖線で示すように、定風量換気部２の空気吹き出し口５の扉１７を開けた状態にすることで、室外の風の状況によらず一定量の自然の風を室内に取り込み、より多くの換気量を確保することができる。
このように本サッシは、天候等に応じて、２４時間換気のための吸気口としての使い方と、自然の風を室内に取り込む換気窓としての使い方の両方が可能で、機能性に優れるものである。また本サッシは、換気口１と定風量換気部２とがいずれもサッシ枠３内に設けてあり、壁に孔を開ける必要がないため、施工性に優れている。さらに、換気装置部１０が縦長のスリムな構造で、サッシと一体化して配置されているため、意匠性も良い。
【００１５】
図１０〜１２は、本発明のサッシの第２実施形態を示している。本実施形態は、換気装置部１０の枠３ｂの無目１６下側の開口部に、定風量換気部２の代わりに、室内外に連通した換気ユニット７を取付けたものである。この換気ユニット７は、図１１，１２に示すように、無目１６上側の開口部に設置される換気口１と同じ構造のものであって、操作部３３を操作することで作動板３１が空気吹き出し口５を開閉するものである。本サッシは、図５と図１０（ａ）に示すように、室外側から見た意匠が第１実施形態と同じになっている。
【００１６】
本実施形態のサッシは、無目１６より下側の換気ユニット７の空気吹き出し口５を閉じた状態とすることで、第１実施形態と同様に、雨の侵入を防ぎつつ外気を室内に導入することができ、２４時間換気のための吸気口として機能する。また、無目１６下側の換気ユニット７の空気吹き出し口５を開けることで、同換気ユニット７を通じて自然の風を室内に取り入れ、より多くの換気量を得ることもできる。
【００１７】
図１３〜１５は、本発明のサッシの第３実施形態を示している。本実施形態は、換気装置部１０の枠３ｂの無目１６下側の開口部に、外気の取込口のみを有する換気ユニット８、具体的にはメクラカバー３４を取付けて同開口部を室内側から塞いだものである。室外側に取付けられる壁面部１５には、第１・第２実施形態と同様に、無目１６より下側に外気取込口４を設けてある。本サッシも、図５と図１３（ａ）に示すように、室外側から見た意匠が第１実施形態と同じになっている。
本実施形態のサッシは、壁面部１５下側の外気取込口４から入った外気を、通風部６と上部の換気口１を通じて室内に導入することで、雨の侵入を防ぎつつ外気を室内に取り入れることができ、２４時間換気のための吸気口として機能させられる。
【００１８】
本発明のサッシは、以上に説明した第１〜第３実施形態に示すように、下部に設置する換気ユニットを、室内外に連通した定風量換気ユニット２と、室内外に連通した定風量でない換気ユニット７と、外気の取込口のみを有する換気ユニット８のうちから選択することができ、これにより室外側の意匠を共通にしながら、用途等に応じてカスタマイズすることができる。換気ユニット以外の部分（枠３ｂ、壁面部１５、上部の換気口１）は共通のため、コストを抑えることができる。
【００１９】
本発明は以上に述べた実施形態に限定されない。換気口及び換気ユニットは、それぞれサッシ枠内の上部と下部に設けてあればよく、引違い窓に限らず、嵌め殺し窓や開き窓など、あらゆる窓と組み合わせることができる。また、窓の側方に隣接して配置するだけでなく、窓と窓の間の方立に換気口と換気ユニットを設けることもできる。換気口、換気ユニット等の具体的な構成は、適宜変更することができる。
【符号の説明】
【００２０】
１  換気口
２  定風量換気部（定風量換気ユニット）
３  サッシ枠
４  外気取込口
５  空気吹き出し口
６  通風部
７  室内外に連通した換気ユニット
８  外気の取込口のみを有する換気ユニット
【図１】
0006334303.tif 000002
【図２】
0006334303.tif 000003
【図３】
0006334303.tif 000004
【図４】
0006334303.tif 000005
【図５】
0006334303.tif 000006
【図６】
0006334303.tif 000007
【図７】
0006334303.tif 000008
【図８】
0006334303.tif 000009
【図９】
0006334303.tif 000010
【図１０】
0006334303.tif 000011
【図１１】
0006334303.tif 000012
【図１２】
0006334303.tif 000013
【図１３】
0006334303.tif 000014
【図１４】
0006334303.tif 000015
【図１５】
0006334303.tif 000016